(57)【要約】【課題】視聴率調査のサンプル対象を自由に選別可能とする。【解決手段】放送局１１にて、指定番組に番組ＩＤ及び端末ＩＤ情報を付加するようにし、受信端末１３にて、視聴中の番組から当該番組に付加されている番組ＩＤ及び端末ＩＤ情報を抽出し、この端末ＩＤ情報に自端末のＩＤと一致するＩＤが存在するか否かを判別し、一致するＩＤが検出されたとき、視聴番組管理センタ１５へアクセスして、視聴中の番組ＩＤを通知するようにする。視聴番組管理センタ１５では、予め登録された複数の端末ＩＤから任意のＩＤを選択し、この選択された端末ＩＤ情報を放送局１１に対して番組を指定して付与し、受信端末１３からの番組ＩＤを集計する。これにより、任意の番組について任意のサンプル対象を選別して視聴率を求めることが可能となる。【選択図】　　　図１
2004112717.tif 000002
【特許請求の範囲】
【請求項１】
放送局から不特定多数の受信端末に複数の番組を放送し、視聴番組管理センタにて任意の受信端末の視聴番組を管理する番組放送システムにおいて、
前記放送局は、指定された番組に番組識別情報及び受信端末識別情報を付加する識別情報付加手段を備え、
前記受信端末は、視聴中の番組から当該番組に付加されている番組識別情報及び受信端末識別情報を抽出する識別情報抽出手段と、この付加情報抽出手段で抽出される受信端末識別情報が自端末の識別情報と一致するか否かを判別する自他識別手段と、この自他識別手段で自端末の識別情報が判別されたとき、前記視聴番組管理センタへアクセスして少なくとも視聴中の番組識別情報を通知する視聴番組通知手段とを備え、
前記視聴番組管理センタは、予め登録された複数の受信端末識別情報から任意の識別情報を選択する選択手段と、前記放送局に対して番組を指定して前記選択手段により選択された受信端末識別情報を与える受信端末識別情報付与手段と、前記受信端末からの視聴番組情報を集計する集計手段を備えることを特徴とする番組放送システム。
【請求項２】
前記選択手段は、前記複数の受信端末識別情報の中から所定の条件に合致するユーザの識別情報を選択することを特徴とする請求項１記載の番組放送システム。
【請求項３】
前記選択手段は、一定期間毎に選択情報を変更することを特徴とする請求項１記載の番組放送システム。
【請求項４】
前記選択手段は、一定期間毎にランダムに選択情報を変更することを特徴とする請求項３記載の番組放送システム。
【請求項５】
前記受信端末識別情報は、予め受信端末に対してオンラインまたはオフラインによって付与され、前記受信端末は付与された受信端末識別情報を記憶する内部記憶手段を備えることを特徴とする請求項１記載の番組放送システム。
【請求項６】
前記受信端末識別情報は、前記記憶媒体に格納して登録ユーザに配布し、前記受信端末は前記記憶媒体をセットし当該記憶媒体から受信端末識別情報を読み出す記憶媒体インターフェース部を備えることを特徴とする請求項１記載の番組放送システム。
【請求項７】
前記受信端末識別情報は、所定の条件に基づくグループ単位で付与されることを特徴とする請求項５または６記載の番組放送システム。
【請求項８】
放送局から不特定多数の受信端末に複数の番組を放送し、視聴番組管理センタにて任意の受信端末の視聴番組を管理する番組放送システムに用いられ、
前記放送局にて、指定された番組に番組識別情報及び受信端末識別情報を付加するようにし、
前記受信端末にて、視聴中の番組から当該番組に付加されている番組識別情報及び受信端末識別情報を抽出し、この受信端末識別情報が自端末の識別情報と一致するか否かを判別し、自端末の識別情報が判別されたとき、前記視聴番組管理センタへアクセスして少なくとも視聴中の番組識別情報を通知するようにし、
前記視聴番組管理センタにて、予め登録された複数の受信端末識別情報から任意の識別情報を選択し、この選択された受信端末識別情報を前記放送局に対して番組を指定して付与し、前記受信端末からの視聴番組情報を集計するようにしたことを特徴とする番組放送システムの番組視聴確認方法。
【請求項９】
前記視聴番組管理センタでは、前記複数の受信端末識別情報の中から所定の条件に合致するユーザの識別情報を選択することを特徴とする請求項８記載の番組放送システムの番組視聴確認方法。
【請求項１０】
前記視聴番組管理センタでは、前記受信端末識別情報の選択内容を一定期間毎に変更することを特徴とする請求項８記載の番組放送システムの番組視聴確認方法。
【請求項１１】
前記視聴番組管理センタでは、前記受信端末識別情報の選択内容を一定期間毎にランダムに変更することを特徴とする請求項８記載の番組放送システムの番組視聴確認方法。
【請求項１２】
前記視聴番組管理センタでは、前記受信端末識別情報を所定の条件に基づいてグループ単位で同一にして付与することを特徴とする請求項８記載の番組放送システムの番組視聴確認方法。
【発明の詳細な説明】
【０００１】
【発明の属する技術分野】
本発明は、衛星放送や地上放送による番組放送システムにおいて、番組視聴率等を集計する番組放送システムとその番組視聴確認方法に関する。
【０００２】
【従来の技術】
従来より、衛星放送または地上放送における番組放送システムでは、番組毎の視聴率を集計し、その集計結果から種々の分析やランク発表等を行っている。従来の視聴率情報収集は、無作為に選択した家庭の受信端末に、視聴中のチャンネルまたは番組を逐次視聴率集計センタへ電話回線を通じて通知する情報通信装置を接続するようにしている。
しかしながら、上記のような従来の手法では、サンプル対象が固定的であり、公平性に欠けるという問題がある。また、番組内容に応じて条件を課してサンプル対象を選択したいような場合に、その対応は極めて困難である。
【０００３】
【発明が解決しようとする課題】
以上述べたように、従来の番組放送システムでは、視聴率調査のサンプル対象が固定的であり、公平性に欠け、番組内容に応じてサンプル対象を選別する等の柔軟な運用に対応することができない。
本発明は上記の事情を考慮してなされたもので、視聴率調査のサンプル対象を自由に選別することができ、柔軟な運用に対応することのできる番組放送システム及びその番組視聴確認方法を提供することを目的とする。
【０００４】
【課題を解決するための手段】
上記目的を達成するために本発明に係る番組放送システムは、放送局から不特定多数の受信端末に複数の番組を放送し、視聴番組管理センタにて任意の受信端末の視聴番組を管理するシステムに適用され、前記放送局は、指定された番組に番組識別情報及び受信端末識別情報を付加する識別情報付加手段を備え、前記受信端末は、視聴中の番組から当該番組に付加されている番組識別情報及び受信端末識別情報を抽出する識別情報抽出手段と、この付加情報抽出手段で抽出される受信端末識別情報が自端末の識別情報と一致するか否かを判別する自他識別手段と、この自他識別手段で自端末の識別情報が判別されたとき、前記視聴番組管理センタへアクセスして少なくとも視聴中の番組識別情報を通知する視聴番組通知手段とを備え、前記視聴番組管理センタは、予め登録された複数の受信端末識別情報から任意の識別情報を選択する選択手段と、前記放送局に対して番組を指定して前記選択手段により選択された受信端末識別情報を与える受信端末識別情報付与手段と、前記受信端末からの視聴番組情報を集計する集計手段を備えることを特徴とする。
【０００５】
また、本発明に係る番組放送システムの番組視聴確認方法は、放送局から不特定多数の受信端末に複数の番組を放送し、視聴番組管理センタにて任意の受信端末の視聴番組を管理する番組放送システムに用いられ、前記放送局にて、指定された番組に番組識別情報及び受信端末識別情報を付加するようにし、前記受信端末にて、視聴中の番組から当該番組に付加されている番組識別情報及び受信端末識別情報を抽出し、この受信端末識別情報が自端末の識別情報と一致するか否かを判別し、自端末の識別情報が判別されたとき、前記視聴番組管理センタへアクセスして少なくとも視聴中の番組識別情報を通知するようにし、前記視聴番組管理センタにて、予め登録された複数の受信端末識別情報から任意の識別情報を選択し、この選択された受信端末識別情報を前記放送局に対して番組を指定して付与し、前記受信端末からの視聴番組情報を集計するようにしたことを特徴とする。
【０００６】
上記番組放送システムの構成、番組視聴確認方法では、放送局にて、指定番組に番組ＩＤ及び端末ＩＤ情報を付加するようにし、受信端末にて、視聴中の番組から当該番組に付加されている番組ＩＤ及び端末ＩＤ情報を抽出し、この端末ＩＤ情報に自端末のＩＤと一致するＩＤが存在するか否かを判別し、一致するＩＤが検出されたとき、視聴番組管理センタへアクセスして、視聴中の番組ＩＤを通知するようにする。視聴番組管理センタでは、予め登録された複数の端末ＩＤから任意のＩＤを選択し、この選択された端末ＩＤ情報を放送局に対して番組を指定して付与し、受信端末からの番組ＩＤを集計する。これにより、任意の番組について任意のサンプル対象を選別して視聴率を求めることが可能となる。
【０００７】
【発明の実施の形態】
以下、図面を参照して本発明の実施の形態を詳細に説明する。
図１は、本発明に係る番組放送システムを衛星放送システムに適用した場合の一実施形態を示すブロック図である。図１において、放送局１１は複数チャンネルに複数の番組を割り当てて送信し、放送衛星１２を中継して所定地域へ放送する。衛星放送受信端末１３は、放送衛星１２からの放送信号を受信可能とするもので、電話・携帯電話公衆網、インターネットを含むネットワーク１４を介して視聴番組管理センタ（サーバを含む送受信装置）１５と通信可能となっている。
【０００８】
放送局１１では、各番組に付加情報として所定の受信端末１３に対して視聴番組の通知を指示するための受信端末識別情報（以下、端末ＩＤ情報）を付加する。尚、各番組のヘッダには当該番組の識別情報（以下、番組ＩＤ）が付加されているものとする。
【０００９】
放送局１１から送出される放送信号は、放送衛星１２を経由して全国に流される。受信端末１３において、アンテナ１３１により受信される放送衛星１２からの放送信号は、チューナ１３２を経由し、ＣＤＭ復調部１３３の復調処理によって番組データが抽出され、デコーダ部１３４で映像・音声・データの各コンテンツが復号されてそれぞれ分離出力され、適宜再生処理される。また、デコーダ部１３４は、番組データから番組ＩＤ及び端末ＩＤ情報を抽出する。
【００１０】
上記受信端末１３は、さらに、視聴番組通知処理部１３５、通信モデム１３６、ＩＣカードインターフェース（Ｉ／Ｆ）部１３７を備える。視聴番組通知処理部１３５は、自装置識別のための端末ＩＤを内部メモリ（図示せず）に格納しておき、上記デコーダ部１３４で得られる各番組に付加されている端末ＩＤ情報と内部メモリに格納されている端末ＩＤとを比較照合する。そして、端末ＩＤの一致が検出された場合に、上記デコーダ部１３４で得られる視聴中の番組ＩＤを、通信モデム１３６を通じ、ネットワーク１４を介して視聴番組管理センタ１５に送出する。ＩＣカードインターフェース（Ｉ／Ｆ）部１３７は、管理センタ１５から郵送される端末ＩＤが記録されたＩＣカード１６を読み込むためのものである。視聴番組通知処理部１３５は、ＩＣカードＩ／Ｆ部１３７を通じてＩＣカード１６から端末ＩＤを取得し、内部メモリに格納する。
【００１１】
視聴番組管理センタ１５は、予め視聴率調査のためのモニタを受信端末ユーザに依頼し、同意したユーザからアンケート等により、例えばユーザ名、端末ＩＤ、住所（地域）性別、年齢（年代）、趣味等の情報を取得し、ユーザ情報としてユーザ管理サーバ１５１に格納しておく。モニタとして選ばれたユーザには、予め端末ＩＤが記録されたＩＣカードを配布しておく。例えば、任意の番組の視聴率を調査する場合、ユーザ管理サーバ１５１から任意の端末ＩＤをランダムに取り出し、端末ＩＤ情報として放送局１１へ送出する。また、選択指定した受信端末１３から送られてくる番組ＩＤを集計することで、視聴率を求める。
【００１２】
上記システム構成において、以下にその運用について説明する。
まず、視聴番組管理センタ１５では、予め受信端末購入時になされた登録ユーザの中から視聴率モニタを募集する。このとき、アンケート等によって例えばユーザ名、端末ＩＤ、住所（地域）、性別、年齢（年代）、趣味等の情報を取得し、ユーザ情報としてユーザ管理サーバ１５１に格納しておく。また、モニタ対象者に対して、端末ＩＤを記録したＩＣカード１６を配布する。
【００１３】
モニタ対象者の受信端末１３では、図２に示すように、ＩＣカード１６をＩＣカードＩ／Ｆ部１３７にセットすると（ステップＳ１１）、視聴番組通知処理部１３５がこれを検知して、ＩＣカード１６に記録された端末ＩＤを読み込み、内部メモリに格納する（ステップＳ１２）。
【００１４】
任意の番組について、視聴率を調査する場合、管理センタ１５では、ユーザ管理サーバ１５１から規定モニタ数（例えば５００名）の端末ＩＤをランダムに取り出し、端末ＩＤ情報として放送局１１へ送出する。放送局１１では、指定番組に対して端末ＩＤ情報を付加して放送信号として送出する。
【００１５】
受信端末１３では、衛星経由で送られてくる放送信号を受信復調とすると、デコーダ部１３４では番組再生開始と共に復調データから選局番組の番組ＩＤ及び端末ＩＤ情報を抽出する。視聴番組通知処理部１３５では、番組の視聴（再生）の開始を検出すると（ステップＳ１３）、デコーダ部１３４で抽出された端末ＩＤ情報と内部メモリに格納されている端末ＩＤとを比較照合し（ステップＳ１４）、一致するＩＤが検出された場合には（ステップＳ１５）、デコーダ部１３４で抽出される視聴中の番組ＩＤを通信モデム１３６へ送り、視聴番組管理センタ１５へ送出させる（ステップＳ１６）。
【００１６】
管理センタ１５では、モニタとなっている受信端末１３から指定番組のＩＤが送られてくると、その数を集計し、指定受信端末ＩＤ数に基づいて視聴率を計算する。
上記の運用によれば、モニタとする受信端末をランダムに選択できるため、公平な視聴率を求めることができる。
【００１７】
また、上記のシステム構成によれば、条件を課して視聴率を求めることが可能である。例えば、ローカル性の強い番組ならば、サーバ登録情報から特定地域の端末ＩＤを選択する。また、女性向きの番組ならば性別を女性に限定して端末ＩＤを選択する。また、シニア向けの番組ならば年代を限定して端末ＩＤを選択する。趣味性が強い番組ならば、該当する趣味を持つユーザの端末ＩＤを選択する。こういった条件を課して対象者を限定することで、様々な角度から番組に対する視聴傾向を見出すことが可能となる。
【００１８】
尚、本発明は上記実施形態に限定されるものではない。
例えば、上記実施形態では、管理センタ１５において、ユーザ管理サーバ１５１から規定モニタ数の端末ＩＤをランダムに取り出し、端末ＩＤ情報として放送局１１へ送出するようにしたが、各端末に対して端末ＩＤを発行しておけば、サーバ１５１から規定モニタ数分の適当な範囲（例えば上位５００名分）をまとめて取り出すようにしても、同様にランダムな取り出しが可能となる。
【００１９】
また、上記実施形態では、個々の受信端末毎にＩＤを付与するものとしたが、任意の受信端末をグループ化してグループ内を共通ＩＤとすれば、一つのＩＤでグループ内全ての端末を指定することが可能となる。この場合、番組放送時に付加する端末ＩＤ情報のデータ量を軽減することができる。
【００２０】
また、上記実施形態では、端末ＩＤをＩＣカードに記録してユーザに配布するようにしたが、ネットワーク１４を通じてオンラインで受信端末１３に送るようにしてもよい。
また、上記実施形態では、視聴結果の通知情報として視聴中の番組ＩＤのみとしたが、プライバシーに問題が生じないのならば、端末ＩＤを共に通知するようにしてもよい。この場合、サーバ登録情報と照合することにより、視聴者の地域別、年代別等の割合をも判別することが可能となる。
【００２１】
【発明の効果】
以上のように本発明によれば、視聴率調査のサンプル対象を自由に選別することができ、柔軟な運用に対応することのできる番組放送システム及びその番組視聴確認方法を提供することができる。
【図面の簡単な説明】
【図１】本発明に係る番組放送システムの一実施形態を示すブロック図。
【図２】同実施形態の受信端末における視聴番組通知処理部の処理の流れを示すフローチャート。
【符号の説明】
１１…放送局
１２…放送衛星
１３…衛星放送受信端末
１３１…アンテナ
１３２…チューナ
１３３…ＣＤＭ復調部
１３４…デコーダ
１３５…視聴番組通知処理部
１３６…通信モデム
１３７…ＩＣカードＩ／Ｆ部
１４…ネットワーク（電話・携帯電話公衆網、インターネットを含む）
１５…視聴番組管理センター
１５１…ユーザ管理サーバ
１６…ＩＣカード
【図１】
2004112717.tif 000003
【図２】
2004112717.tif 000004